(57)【要約】      （修正有）【課題】カップ部の表面に段差を作ることなくバストを下から持ち上げるとともにバストを前中心側へ引き寄せ、かつ、肌触りのよいカップ部を有する衣類を提供する。【解決手段】外縁が上縁部２０ａ、下縁湾曲部２０ｃ、側縁部２０ｂからなり、上縁部と側縁部が上方で収束する位置に上端部２１を有し、正面視で下縁湾曲部最下点から上端部を結ぶ線を境界線３０として境界線の側縁部側を脇側部３１、境界線の上縁部側を胸元部３２とするカップ部１０を有する衣類において、カップ部を裏布、生地より形成するサポートパネル６０、カップ本体を順に重ねて構成し、裏布とカップ本体間の主として脇側部側に配置するサポートパネルの形状を境界線側に配置させる長辺及びそれぞれ下縁湾曲部側、側縁部側に配置させる直線又は曲線を含んで形成し、サポートパネルをサポートパネルの生地を二重にして長辺を境界線と略同一方向となるように配置する。【選択図】図１
0003195448.tif 000002
【実用新案登録請求の範囲】
【請求項１】
外縁が上縁部、下縁湾曲部、側縁部からなり、該上縁部と該側縁部が上方で収束する位置に上端部を有し、
正面視で、該下縁湾曲部最下点から該上端部を結ぶ線を境界線として、該境界線の該側縁部側を脇側部、該境界線の該上縁部側を胸元部とするカップ部を有する衣類において、
前記カップ部を、
裏布、生地より形成するサポートパネル、カップ本体を順に重ねて構成し、
該裏布と該カップ本体間の主として前記脇側部側に配置する該サポートパネルの形状を、
前記境界線側に配置させる長辺及びそれぞれ前記下縁湾曲部側、前記側縁部側に配置させる直線又は曲線を含んで形成し、
前記サポートパネルを、該サポートパネルの生地を二重にして、
前記長辺を該境界線と略同一方向となるように配置したことを特徴とする、カップ部を有する衣類。
【請求項２】
前記サポートパネルは、一枚の生地を二つ折りにして、該折り目を前記長辺として形成したことを特徴とする請求項１に記載のカップ部を有する衣類。
【請求項３】
前記サポートパネルの前記長辺が、前記カップ部本体と前記裏布のいずれにも固着されていないことを特徴とする請求項１または２に記載のカップ部を有する衣類。
【請求項４】
前記サポートパネルの生地が、マーキゼットであることを特徴とする請求項１から３のいずれか１項に記載のカップ部を有する衣類。
【請求項５】
前記カップ本体を、発泡ポリウレタンを用いてモールド加工により形成した請求項１から４のいずれか１項に記載のカップ部を有する衣類。
【請求項６】
前記カップ部を有する衣類は、ブラジャー、ボディスーツ、ブラスリップ、ブラキャミソール、カップ付きインナーから選ばれる衣類であることを特徴とする請求項１から５のいずれか１項に記載のカップ部を有する衣類。
【考案の詳細な説明】
【技術分野】
【０００１】
本考案は、バストの補正機能を備えたカップ部を有する衣類に関する。
【背景技術】
【０００２】
従来、ブラジャー等のカップ部を有する衣類において、椀状に形成されたカップ部の脇部側に非伸縮性のサポート生地を配置することにより、カップ部の伸長を抑制したり、バストを持ち上げる、バストを前中心側へ引き寄せる等の補正機能を付与することが行われている。
【０００３】
例えば、特許文献１には、略椀状に成形されたポリウレタン発泡体の表側の一部に伸び抑制布を有する乳房カップが開示されている。伸び抑制布によりポリウレタン発泡体の伸びが抑制されるため、伸縮性の良好なポリウレタン発泡体を乳房カップに用いることができる。造形性を保ちながら、違和感、きつさ、つくりもの、硬さなどの感じを与えることの少ない、自然なソフトな着け心地を有する乳房カップを提供しようとするものである。
【０００４】
しかしながら、乳房カップの表側に伸び抑制布を設けると、薄地のアウターを着用する際に乳房カップと伸び抑制布との段差がアウターに表れることになり、見た目がよくない。また、アウターに響かないようにするため伸び抑制布に薄地の生地を使用すると、乳房カップの伸び抑制効果を発揮させるのが難しくなる。
【０００５】
また、特許文献２には、カップ中央近傍から脇部にわたる部位に非伸縮性芯地を挟設し、熱圧着させ一体化して構成されたカップ体からなるブラジャーが開示されている。カップ体の脇部からカップ中央付近に架けてカップ体を切開し、同切開部に芯地を挿入し、固定することによりカップ部のずり上がりや横方向への拡張に対しても十分に対応可能とするブラジャーを提供しようとするものである。また、芯地をカップ体に挿入することにより、芯地が直接肌に触れず着用感を向上することもできる。
【０００６】
しかしながら、カップ体を切開して芯地を挟設するには製造工程が複雑になると共に、ブラジャーの着用時に芯地がバストの動きに十分に追随することが困難となる。
【０００７】
【特許文献１】特開２００２−１１５１０５号公報
【特許文献２】特開２００７−３０３０１０号公報
【考案の概要】
【考案が解決しようとする課題】
【０００８】
そこで本考案は、カップ部の表面に段差を作ることなくバストを下から持ち上げるとともにバストを前中心側へ引き寄せ、かつ、肌触りのよいカップ部を有する衣類を提供することを目的とする。
【課題を解決するための手段】
【０００９】
本考案に係るカップ部を有する衣類は、外縁が上縁部、下縁湾曲部、側縁部からなり、該上縁部と該側縁部が上方で収束する位置に上端部を有し、正面視で、該下縁湾曲部最下点から該上端部を結ぶ線を境界線として、該境界線の該側縁部側を脇側部、該境界線の該上縁部側を胸元部とするカップ部を有する衣類において、前記カップ部を、裏布、生地より形成するサポートパネル、カップ本体を順に重ねて構成し、該裏布と該カップ本体間の主として前記脇側部側に配置する該サポートパネルの形状を、前記境界線側に配置させる長辺及びそれぞれ前記下縁湾曲部側、前記側縁部側に配置させる直線又は曲線を含んで形成し、前記サポートパネルを、該サポートパネルの生地を二重にして、前記長辺を該境界線と略同一方向となるように配置したことを特徴とする。
【００１０】
本考案に係るカップ部を有する衣類は、前記サポートパネルは、一枚の生地を二つ折りにして、該折り目を前記長辺として形成することが好適である。
【００１１】
本考案に係るカップ部を有する衣類は、前記サポートパネルの前記長辺が、前記カップ部本体と前記裏布のいずれにも固着されていなくてもよい。
【００１２】
本考案に係るカップ部を有する衣類は、前記サポートパネルの生地が、マーキゼットであることが好ましい。
【００１３】
本考案に係るカップ部を有する衣類は、前記カップ本体を、発泡ポリウレタンを用いてモールド加工により形成することが好ましい。
【００１４】
本考案に係るカップ部を有する衣類は、ブラジャー、ボディスーツ、ブラスリップ、ブラキャミソール、カップ付きインナーから選ばれる衣類であることが好ましい。
【考案の効果】
【００１５】
本考案に係るカップ部を有する衣類は、サポートパネルを裏布とカップ本体との間に配置したので、カップ部の表面に段差を生じず、薄手のアウターを着用した際にも美観を損ねることがない。また、サポートパネルが肌に直接触れることがないため、不快感を防止することができる。さらに、サポートパネルを脇側部側に配置し、かつ、サポートパネルの生地を二重にしたのでバストを下から持ち上げるとともにバストを前中心側へ引き寄せる効果を高めることができる。
【００１６】
本考案に係るカップ部を有する衣類において、サポートパネルは一枚の生地を二つ折りにして、折り目を長辺として形成することにより、長辺にほつれ止め処理を行う必要がなく、快適な着け心地が得られる。
【図面の簡単な説明】
【００１７】
【図１】本考案に係るカップ部を有する衣類の一例である、ブラジャーの正面図。
【図２】（ａ）図１に示すブラジャーのカップ部の分解図。（ｂ）図１に示すブラジャーのカップ部のＡ−Ａ線断面図。
【図３】（ａ）本考案に係るカップ部を有する衣類の一例であるブラジャーにおける、別の実施形態に係るカップ部の分解図。（ｂ）本考案に係るカップ部を有する衣類の一例であるブラジャーにおける、別の実施形態に係るカップ部のＡ−Ａ線断面図。
【図４】本考案に係るカップ部を有する衣類における、二つ折りにて二重に形成したサポートパネルの作製図。
【図５】本考案に係るカップ部を有する衣類の一例である、別の実施形態のブラジャーの正面図。
【図６】本考案に係るカップ部を有する衣類の一例であるブラジャーにおいて、（ａ）別の実施形態のサポートパネルの形状を示すブラジャーの正面図、（ｂ）さらに別の実施形態のサポートパネルの形状を示すブラジャーの正面図。
【考案を実施するための形態】
【００１８】
以下、図面を参照しながら本考案に係るカップ部を有する衣類の実施形態について、カップ部を有する衣類の代表例であるブラジャーを例に挙げて説明する。なお、以下各図面を通して同一の構成要素には同一の符号を使用するものとする。
【００１９】
図１に示すブラジャー１は、上述のように本考案に係るカップ部を有する衣類の一実施形態であり、左右一対のカップ部１０と、カップ部１０を下方から支持する土台部７０と、土台部７０に接続された左右一対のバック部８０と、カップ部１０とバック部８０とを連結する左右一対のストラップ９０とを含む。
【００２０】
ブラジャー１のカップ部１０は、外縁が上縁部２０ａ、下縁湾曲部２０ｃ、側縁部２０ｂからなり、上縁部２０ａと側縁部２０ｂとが上方で収束する位置に上端部２１を有し、正面視で、下縁湾曲部２０ｃの最下点Ｂから上端部２１を結ぶ線を境界線３０として、当該境界線３０の側縁部２０ｂ側を脇側部３１、境界線３０の上縁部２０ａ側を胸元部３２としている。
【００２１】
上端部２１の位置は、上縁部２０ａと側縁部２０ｂとが上方で収束する位置であれば特に限定されない。また、上端部２１の形状も特に限定されず、図１に示すように幅を持ってもよいし、図５に示すように点状であってもよい。あるいは、上端部２１の形状は曲線状であってもよい。
【００２２】
また、ブラジャー１のカップ部１０は、図２に示すように、裏布５０、生地より形成するサポートパネル６０、カップ本体４０を順に重ねて構成し、裏布５０からカップ本体４０方向に凸状に形成する。サポートパネル６０を裏布５０とカップ本体４０との間に配置することによりカップ部１０の表面１００に段差が生じず、また、サポートパネル６０が直接肌に触れることによる不快感を防止することができる。
【００２３】
本考案に係るカップ部を有する衣類のカップ本体４０は、発泡ポリウレタンを用いてモールド加工により形成するのが好ましい。発泡ポリウレタンを用いてモールド加工によりカップ本体４０を形成することで、アウターに響きにくいカップ本体４０を得ることができる。また、発泡ポリウレタンを用いてモールド形成したカップ本体４０は伸縮し易いが、サポートパネル６０を設けることでカップ本体４０の伸縮を抑制することができる。
【００２４】
図１に示すように、サポートパネル６０は主として脇側部３１側に配置するのが好ましい。サポートパネル６０を主として脇側部３１側に配置することにより、横に流れがちなバストを前中心側へ引き寄せることができる。サポートパネル６０は主として脇側部３１側に配置されていればよく、サポートパネル６０の一部が胸元部３２側に配置されていてもよい。
【００２５】
下縁湾曲部２０ｃの最下点Ｂから上端部２１を結ぶ境界線３０は、上端部２１が直線状若しくは曲線状に形成されている場合は、下縁湾曲部２０ｃの最下点Ｂから上端部２１を形成する直線若しくは曲線の任意の一点を結ぶ線でよい。図５に示すように、上端部２１が点状に形成されている場合は、下縁湾曲部２０ｃの最下点Ｂから上端部２１を結ぶ線が境界線３０となる。
【００２６】
サポートパネル６０の形状は、図２（ａ）や図３（ａ）、図４に示すように、境界線３０側に配置させる長辺６２及び下縁湾曲部２０ｃ側、側縁部２０ｂ側に配置させる直線又は曲線を含んで形成する。サポートパネル６０は、境界線３０側に配置させる長辺６２と下縁湾曲部２０ｃ側、側縁部２０ｂ側に配置させる直線又は曲線を含んで形成されていればよく、これらの直線又は曲線の他、上縁部２０ａ側および／または上端部２１側に配置させる直線又は曲線を含んで形成してもよい。
【００２７】
図１に示すように、サポートパネル６０は、長辺６２を境界線３０（下縁湾曲部２０ｃの最下点Ｂから上端部２１を結ぶ線）と略同一方向となるように配置するのが好適である。本実施形態に係るブラジャー１においては、上端部２１に接続したストラップ９０の引き上げる力により、バストは下縁湾曲部２０ｃの最下点Ｂから上端部２１の方向に略直線状に吊り上げられる。すなわち、上端部２１を上方向（ストラップ９０の方向）に引っ張る力が加わると、下縁湾曲部２０ｃの最下点Ｂから上端部２１の方向に略直線状にバストが吊り上げられるが、サポートパネル６０の長辺６２を境界線３０（下縁湾曲部２０ｃの最下点Ｂから上端部２１を結ぶ線）と略同一方向とすることにより、バストを吊り上げながらバストを中央へ引き寄せる効果を高めることができるため、バストの形を美しく整えることができる。
【００２８】
本実施形態においては、カップ部１０を有する衣類（ブラジャー１）は、上端部２１に接続したストラップ９０を有しているが、ストラップ９０は取り外し可能としてもよく、ストラップ９０を有していなくてもよい。サポートパネル６０の長辺６２を境界線３０（下縁湾曲部２０ｃの最下点Ｂから上端部２１を結ぶ線）と略同一方向とすることにより、ストラップ９０が無くても下縁湾曲部２０ｃの最下点Ｂから上端部２１の方向に略直線状にバストを保持する力が働くため、バストを持ち上げながら前中心側へ引き寄せる効果を高めることができる。
【００２９】
図５は、他の実施形態におけるブラジャー１’を示す。本実施形態において、サポートパネル６０は、境界線３０側に配置させる長辺６２と、下縁湾曲部２０ｃ側および側縁部２０ｂ側に配置させる２つの曲線とにより形成されており、サポートパネル６０の長辺６２は境界線３０と略同一方向に配置されている。ブラジャー１’において、上端部２１に接続したストラップ９０の引き上げる力により脇補強下縁部９２が拾い寄せる脇肉を、吊上げ上縁部９１がバストと共に上方向に持ち上げる効果を奏するため、サポートパネル６０のバストを吊り上げながら中央へ引き寄せる効果をさらに高め、バストの形を美しく整えることができる。
【００３０】
図６は、サポートパネル６０の形状の変形例を示したものである。図６（ａ）において、サポートパネル６０は、境界線３０側に配置させる長辺６２と下縁湾曲部２０ｃ側、側縁部２０ｂ側に配置させる２つの曲線の他、上端部２１側に配置させる直線および上縁部２０ａ側に配置させる曲線により形成されており、サポートパネル６０の長辺６２は境界線３０と並行に配置され、サポートパネル６０の一部は胸元部３２に配置されている。また、図６（ｂ）においては、サポートパネル６０は境界線３０側に配置させる長辺６２と下縁湾曲部２０ｃ側、側縁部２０ｂ側に配置させる２つの曲線の他、上端部２１側に配置させる直線および上縁部２０ａ側に配置させる曲線により形成されており、サポートパネル６０の長辺６２は境界線３０と略同一方向に配置されている。サポートパネル６０を形成する側縁部２０ｂ側に配置させる曲線の一部は、側縁部２０ｂに固着されていない。
【００３１】
本考案に係るカップ部を有する衣類においては、図２に示すように、サポートパネル６０は生地を二重にして形成する。サポートパネル６０を形成する生地は非伸縮性であることが好ましい。同種の生地を二枚重ねて二重に形成してもよいし、異種の生地を二枚重ねて二重に形成してもよい。サポートパネル６０を二重に形成することにより、サポートパネル６０の強度が増し、バストを持ち上げながら前中心側へ引き寄せる効果を高めることができる。
【００３２】
サポートパネル６０の生地としては、マーキゼット、トリコット、スムース、天竺等の非伸縮性の生地が挙げられるが、薄地のものが好ましく、特にマーキゼットが好ましい。厚手の生地を用いると段差が生じるが、マーキゼットは伸縮し難く薄いため段差が生じにくく、バストを下から持ち上げながら前中心側へ引き寄せるとともにソフトな肌触りを得ることができ、好適に使用される。
【００３３】
図３、図４に示すように、サポートパネル６０は一枚の生地を二つ折りにして、該折り目６１を長辺６２として形成してもよい。折り目６１を長辺６２として形成することにより、長辺６２にほつれ止め処理を行う必要がなく、快適な着け心地が得られる。
【００３４】
サポートパネル６０をカップ本体４０および裏布５０に固着する方法は特に限定されず、縫着、接着等公知の方法を用いることができる。図１の実施形態においては、下縁湾曲部２０ｃ、側縁部２０ｂ、上端部２１および上縁部２０ａにおいてサポートパネル６０とカップ本体４０および裏布５０とを縫着することによりサポートパネル６０とカップ本体４０および裏布５０とを固着し、サポートパネル６０の長辺６２はカップ本体４０及び裏布５０どちらにも固着されていない。サポートパネル６０の長辺６２をカップ本体４０に縫着すると、カップ本体４０の表面に縫着ラインが表れるため好ましくなく、裏布５０に縫着する場合は製造工程が複雑になる。
【００３５】
また、固着手段が接着の場合においては、サポートパネル６０の縁部に接着剤を塗布することによりサポートパネル６０とカップ本体４０を固着してもよいし、サポートパネル６０全面に点状に接着剤を塗布することによりサポートパネル６０とカップ本体４０を固着してもよく、接着手段は特に限定されない。
【００３６】
裏布５０は１枚の生地で形成されていてもよく、複数の生地を接いで形成してもよい。裏布５０の素材は特に限定されるものではなく、天竺や綿、ポリエステル混の編物等からなる素材を用いることができる。
【００３７】
また、裏布５０にパッド収納用ポケットを設けてもよい。パッド収納用ポケットは、パッドが収納可能であれば形状は特に限定されず、また、パッド収納用ポケットの素材も特に限定されるものでなく、天竺や綿、ポリエステル混の編物等からなる素材を用いることができる。パッド収納用ポケットにパッドを挿入することにより、バストのボリュームアップを図ることが可能となる。
【００３８】
以上、本考案のカップ部を有する衣類の代表例であるブラジャーについて説明したが、本考案は上記実施形態に限定されるものではない。カップ部を形成する構成要素も、裏布、生地より形成するサポートパネル、カップ本体に限定されるものではなく、表布、ワイヤー等その他の構成要素を含んでいてもよい。
【００３９】
また、上記の実施形態はブラジャーに関するものであるが、例えば、ボディスーツ、ブラスリップ、ブラキャミソール、カップ付きインナー等のカップ部を有する衣類に適用することができる。
【００４０】
その他、本考案は、その主旨を逸脱しない範囲で当業者の知識に基づき種々の改良、修正、変更を加えた態様で実施できるものである。
【産業上の利用可能性】
【００４１】
本考案に係るカップ部を有する衣類は、例えば、ブラジャー、ボディスーツ、ブラスリップ、ブラキャミソール、カップ付きインナー等に利用することができる。
【符号の説明】
【００４２】
１、１’：ブラジャー
１０：カップ部
２０ａ：上縁部
２０ｂ：側縁部
２０ｃ：下縁湾曲部
２１：上端部
３０：境界線
３１：脇側部
３２：胸元部
４０：カップ本体
５０：裏布
６０：サポートパネル
６１：折り目
６２：長辺
７０：土台部
８０：バック部
９０：ストラップ
９１：吊上げ上縁部
９２：脇補強下縁部
１００：表面
Ｂ：最下点
【図１】
0003195448.tif 000003
【図２】
0003195448.tif 000004
【図３】
0003195448.tif 000005
【図４】
0003195448.tif 000006
【図５】
0003195448.tif 000007
【図６】
0003195448.tif 000008